(57)【要約】      （修正有）【課題】コストが安価で定着用発熱体を安全に駆動できる定着装置を提供する。【解決手段】商用電源１００から生成された駆動電源と、商用電源から生成した直流電源により充電されるキャパシタに蓄積した補助電源のいずれか一方を定着用発熱体に供給する定着装置であって、商用電源のゼロクロス検出用に設けられるダイオードブリッジ１０９の整流出力を用いて前記キャパシタを充電する充電手段を備えたものである。【選択図】図２
2009162799.tif 000002
【特許請求の範囲】
【請求項１】
商用電源から生成された駆動電源と、商用電源から生成した直流電源により充電されるキャパシタに蓄積した補助電源のいずれか一方を定着用発熱体に供給する定着装置であって、
商用電源のゼロクロス検出用に設けられるダイオードブリッジの整流出力を用いて前記キャパシタを充電する充電手段を備えたことを特徴とする定着装置。
【請求項２】
前記キャパシタは、有極性コンデンサであることを特徴とする請求項１記載の定着装置。
【発明の詳細な説明】
【技術分野】
【０００１】
本発明は、商用電源から生成された駆動電源と、商用電源から生成した直流電源により充電されるキャパシタに蓄積した補助電源のいずれか一方を定着用発熱体に供給する定着装置に関する。
【背景技術】
【０００２】
一般的に定着器に搭載しているヒートロールの加熱手段として、ハロゲンヒータが使用されている。このハロゲンヒータに通電すると突入電流により、雑音端子電圧を発生させる。この雑音端子電圧を除去、低減させるために、既知のコモンモードチョークコイル、Ｘ接続コンデンサ（Ｘキャパシタ）、Ｙ接続コンデンサ（Ｙキャパシタ）を使用していた。
【０００３】
しかしながら、近年では、画像形成装置のカラー化、高速化に伴い、ハロゲンヒータへの供給電力が１０００Ｗ、もしくは、それ以上の電力を必要とするものがある。これに伴い、ヒータ通電時、特にハロゲンヒータの温度が低く抵抗値が低いと、最初の通電時の突入電流により発生する雑音端子電圧の低減が、既存の部品のみでは取り除くことが困難な場合が発生してきている。
【０００４】
そこで、商用電源ＡＣ電源とは別にハロゲンヒータへ給電するための補助電源に、キャパシタを搭載しこのキャパシタを充電するようにしたものが提案されている（特許文献１参照）。
【特許文献１】特開２００４−２８６８０４号公報
【発明の開示】
【発明が解決しようとする課題】
【０００５】
しかしながら、この従来装置では、キャパシタを充電するための専用の充電用直流電源をを搭載することで高コストとなってしまうという不具合を生じるおそれがある。
【０００６】
本発明は、かかる実情に鑑みてなされたものであり、コストが安価で定着用発熱体を安全に駆動できる定着装置を提供すること目的とする。
【課題を解決するための手段】
【０００７】
本発明は、商用電源から生成された駆動電源と、商用電源から生成した直流電源により充電されるキャパシタに蓄積した補助電源のいずれか一方を定着用発熱体に供給する定着装置であって、商用電源のゼロクロス検出用に設けられるダイオードブリッジの整流出力を用いて前記キャパシタを充電する充電手段を備えたものである。
【０００８】
また、前記キャパシタは、有極性コンデンサである。
【発明の効果】
【０００９】
したがって、本発明によれば、商用電源のゼロクロス検出用に設けられるダイオードブリッジの整流出力を用いて前記キャパシタを充電するので、キャパシタ専用の充電手段を備える必要がなく、装置コストを低減することができるという効果を得る。
【発明を実施するための最良の形態】
【００１０】
以下、添付図面を参照しながら、本発明の実施の形態を詳細に説明する。
【００１１】
図１は、本発明の一実施例にかかる画像形成装置の構成の概略を示している。この画像形成装置は、静電写真プロセスを用いて記録紙に画像を形成するものであり、記録紙に転写されたトナー像を熱定着する定着装置を備えている。
【００１２】
同図において、感光体ドラム１の表面は、帯電ローラ２により帯電され、走査型情報光発生装置（走査型情報光発生手段）３により発生された情報光により、１ライン毎に露光され、その表面に静電潜像が作成される。
【００１３】
感光体ドラム１の表面に作成された静電潜像は、現像器４によりトナー現像され、感光体ドラム１の表面には、静電潜像に対応したトナー像が形成される。このトナー像は、図示しない給紙手段により１枚ずつ送り出される用紙ＰＰに、転写ベルト５により密着転写される。
【００１４】
そして、用紙ＰＰに転写されたトナー像は、定着装置６により熱定着され、用紙ＰＰの表面に固定される。
【００１５】
また、感光体ドラム１の表面に残留したトナーは、クリーニング装置７により清掃除去され、感光体ドラム１の表面の残留電荷は、除電器８により除去される。また、クリーニングローラ９は、帯電ローラ２の表面を清掃するためのものである。
【００１６】
図２は、定着装置６の駆動系の一例を示している。
【００１７】
まず、商用交流電源１００の給電ラインにノイズ除去の為にＸ接続コンデンサ（Ｘキャパシタ）１０１、コモンモードチョークコイル１０２、Ｙ接続コンデンサ（Ｙキャパシタ）１０３ａ，１０３ｂを介して、ヒートローラ１１６に内蔵されている発熱体であるハロゲンヒータ１１７に交流電源を接続する。
【００１８】
次に、定着制御部１５０より出力されるＲＥＬＡＹ＿ＯＮ信号をトランジスタ１０４ｂにベース電圧として入力し、逆起電力対策用にダイオード１２１ａと並列に接続されているコイル（リレーコイル）１０４ｂに電流が流れ、このリレーコイル１０４ｂと対となりリレーを構成しているスイッチ（リレースイッチ）１０４ａが閉じて、ダイオードブリッジで構成されている全波整流器１０９に介してキャパシタである電解コンデンサ１１５に給電され、電解コンデンサ１１５が充電される。
【００１９】
同時に、電界コンデサ１１５に並列に接続され、且つ、抵抗１１８ｃ，１１８ｄ及びコンデンサ１０３ｃのＴ型フィルタを介して発光ダイオード１１３ｂに通電され、発光ダイオード１１３ｂと対でフォトカプラを構成しているフォトトランジスタ１１３ａがここで、全波整流波形に応じてＯＮ／ＯＦＦすることでＺＥＲＯ＿Ｘ信号を抵抗１１８ｆ，１１８ｇおよびトランジスタ１１４により生成し、定着制御部１５０に入力する。定着制御部１５０は、このＺＥＲＯ＿Ｘ信号により商用電源１００のゼロクロス点を認識し、周知の種々の制御のタイミングに使用する。
【００２０】
その後、ヒートロール１１６に内蔵されている発熱体であるハロゲンヒータ１１７の温度を温度検出手段である既知のサーミスタ１２０を使用して検知し、その値を定着制御部１５０にあるＡＤ変換器１５１に入力する。
【００２１】
定着制御部１５０は、規定値以下の温度である場合にはＲＥＬＡＹ＿ＯＮ信号をＯＦＦすることによりスイッチ１０４ａを開き、ＡＵＸ＿ＯＮ信号をトランジスタ１１１のベース電圧として入力し、逆起電力防止用のダイオード１２１ｂ、１２１ｃが並列に接続されているコイル（リレーコイル）１１０ｂ，１１２ｂに電流が流れ、このリレーコイル１１０ｂ，１１２ｂと対となりリレーを構成しているスイッチ（リレースイッチ）１１０ａ，１１２ｂが閉じて、電解コンデンサ１１５からハロゲンヒータ１１７に給電される。
【００２２】
反対に規定値以上の温度である場合には、定着制御部１５０は、ＡＵＸ＿ＯＮ信号を制御することにより、リレースイッチ１１０ａ，１１２ａを開いた状態にし、定着制御部１５０から出力されるＨＥＡＴＥＲ＿ＯＮ信号をトランジスタ１０８のベース電圧として入力し、発光ダイオード１０７ｂを発光させ、この発光ダイオード１０７ｂと対でフォトトライアックカプラを構成しているフォトトライアック１０７ａをＯＮさせ、トライアック１０６を開くことにより、ハロゲンヒータ１１７に電力を供給する。
【００２３】
このようにして、ヒートローラ１１６（ハロゲンヒータ１１７）の温度が規定値よりも低い場合には、電解コンデンサ１１５を用いてハロゲンヒータ１１７を駆動しているので、ハロゲンヒータ１１７の温度が低くて抵抗値が低い状態では、最初の通電時の突入電流を低下することができ（特許文献１参照）、その結果、その際に発生する雑音を、既存のコモンモードチョークコイル１０２、Ｘ接続コンデンサ（Ｘキャパシタ）１０１、Ｙ接続コンデンサ（Ｙキャパシタ）１０３ａ，１０３ｂを用いて取り除くことができることとなり、定着装置６を安定して運転することができる。
【００２４】
また、本実施例では、ゼロクロス検出用の全波整流器１０９の整流出力を用いて、キャパシタである電解コンデンサ１１５を充電しているので、電解コンデンサ１１５を充電するための特別な手段を追加する必要がなく、装置コストを低減することができる。また、キャパシタとして電解コンデンサ１１５を使用することで、キャパシタの大容量化をはかることができる。
【００２５】
なお、上述した実施例では、キャパシタとして電解コンデンサ１１５を用いているが、それ以外の静電容量部材、例えば、有極性コンデンサなどを用いることができる。
【図面の簡単な説明】
【００２６】
【図１】本発明の一実施例にかかる画像形成装置の構成の概略を示した概略構成図。
【図２】定着装置６の駆動系の一例を示した回路図。
【符号の説明】
【００２７】
６  定着装置
１００  商用交流電源
１０１  Ｘ接続コンデンサ
１０２  コモンモードチョークコイル
１０３ａ，１０３ｂ  Ｙ接続コンデンサ
１０３ｃ  コンデンサ
１０４ａ，１１０ａ，１１２ａ  リレー内部のスイッチ（リレー接点）
１０４ｂ，１１０ｂ，１１２ｂ  リレー内部のコイル（リレーコイル）
１０５，１０８，１１４  トランジスタ
１０６  トライアック
１０７ａ  フォトトライアック内部のトライアック
１０７ｂ  フォトトライアック内部のフォトトランジスタ
１０９  ダイオードブリッジ
１１３ａ  フォトカプラ内部のフォトトランジスタ
１１３ｂ  フォトカプラ内部の発光ダイオード
１１５  電界コンデンサ
１１６  ヒートロール
１１７  ハロゲンヒータ
１１９  ノーマルモードコイル
１２０  サーミスタ
１１８ａ，１１８ｂ，１１８ｃ，１１８ｄ，１１８ｅ，１１８ｆ  ，１１８ｇ  抵抗
１２１ａ，１２１ｂ，１２１ｃ  ダイオード
１５０  定着制御部
１５１  ＡＤ変換器
【図１】
2009162799.tif 000003
【図２】
2009162799.tif 000004